【手続補正書】
【提出日】平成16年11月4日(2004.11.4)
【手続補正１】
【補正対象書類名】明細書
【補正対象項目名】特許請求の範囲
【補正方法】変更
【補正の内容】
【特許請求の範囲】
【請求項１】
デジタル画像データと、このデジタル画像データに対応するプリント注文データとに基づきプリントを作成するデジタルプリントシステムにおいて、
前記プリント注文データに基づきプリント送り先を特定し、このプリント送り先に基づき宛て先画像データを作成する宛て先画像データ作成手段と、
前記デジタル画像データに基づき画像プリントを作成するとともに、前記宛て先画像データ作成手段からの宛て先画像データに基づき宛て先プリントを作成し、前記画像プリントと宛て先プリントとを同一注文内で１まとまりにする画像プリント手段とを備えたことを特徴とするデジタルプリントシステム。
【請求項２】
デジタル画像データと、このデジタル画像データに対応するプリント注文データとに基づきプリントを作成し、このプリントを透明窓付き封筒に収納するデジタルプリントシステムにおいて、
前記プリント注文データに基づきプリント送り先を特定し、このプリント送り先に基づき宛て先画像データを作成する宛て先画像データ作成手段と、
前記デジタル画像データに基づき画像プリントを作成するとともに、前記宛て先画像データ作成手段からの宛て先画像データに基づき宛て先プリントを作成し、この宛て先プリントは前記透明窓付き封筒に挿入したときに前記透明窓に宛て先が位置するように作成され、前記宛て先プリントを表面側にして前記画像プリントに重ねて同一注文内で１まとまりにする画像プリント手段と、
を備えたことを特徴とするデジタルプリントシステム。
【請求項３】
前記宛て先プリントの作成位置を、同一注文内の前記画像プリントの先頭位置、または最後位置にして、これらを同一注文内で１まとまりにすることを特徴とする請求項１または２記載のデジタルプリントシステム。
【請求項４】
前記宛て先プリントに、前記デジタル画像データのファイル名を記録することを特徴とする請求項１ないし３いずれか１つ記載のデジタルプリントシステム。
【請求項５】
前記宛て先プリントに、同一注文に関する情報を記録することを特徴とする請求項１ないし４いずれか１つ記載のデジタルプリントシステム。
【請求項６】
前記同一注文に関する情報を、取次店情報、料金情報、料金算出情報、料金算出情報の一覧表情報の少なくとも１つ、または、これら情報のバーコードから構成したことを特徴とする請求項５記載のデジタルプリントシステム。
【請求項７】
前記プリント送り先は、前記プリント注文データ内の発注者特定データに基づき作成することを特徴とする請求項１ないし６いずれか１つ記載のデジタルプリントシステム。
【請求項８】
前記プリント送り先は、前記プリント注文データ内の発注者ＩＤ番号に基づき、予め登録されている発注者データベースから特定することを特徴とする請求項１ないし６いずれか１つ記載のデジタルプリントシステム。
【請求項９】
前記プリント送り先は、前記プリント注文データ内のプリント送り先データに基づき作成することを特徴とする請求項１ないし６いずれか１つ記載のデジタルプリントシステム。
【請求項１０】
前記画像プリントにプリント識別番号を記録し、同一注文内の画像プリントに対するプリント識別番号の一覧を前記宛て先プリントに記録することを特徴とする請求項１ないし９いずれか１つ記載のデジタルプリントシステム。
【請求項１１】
前記プリント識別番号として、前記デジタル画像データのファイル名を用いることを特徴とする請求項１０記載のデジタルプリントシステム。
【請求項１２】
同一注文内の画像プリントを縮小して一覧に表示したインデックス画像を前記宛て先プリントに記録することを特徴とする請求項１ないし１１いずれか１つ記載のデジタルプリントシステム。
【請求項１３】
前記画像プリント及び宛て先プリントを帯状記録材料に各注文毎にまとめて順に記録するとともに、各注文の区切りには各注文毎に各プリントを仕分けるためのソートマークを形成することを特徴とする請求項１ないし１２いずれか１つ記載のデジタルプリントシステム。
【請求項１４】
前記デジタル画像データとプリント注文データとは、プリント注文者、プリント注文者から注文を受けた取次者から送信されることを特徴とする請求項１ないし１３いずれか１つ記載のデジタルプリントシステム。
【請求項１５】
デジタル画像データと、このデジタル画像データに対応するプリント注文データとに基づきプリントを作成するデジタルプリント方法において、
前記デジタル画像データに基づき作成される画像プリントと、前記プリント注文データに基づき作成される宛て先プリントとを同一注文毎に１まとまりにしてプリントすることを特徴とするデジタルプリント方法。
【請求項１６】
デジタル画像データと、このデジタル画像データに対応するプリント注文データとに基づきプリントを作成し、このプリントを透明窓付き封筒に収納するデジタルプリント方法において、
前記プリント注文データに基づきプリント送り先を特定し、このプリント送り先に基づき宛て先画像データを作成し、
前記デジタル画像データに基づき画像プリントを作成するとともに、前記宛て先画像データに基づき宛て先プリントを作成し、この宛て先プリントは前記透明窓付き封筒に挿入したときに前記透明窓に宛て先が位置するように作成され、前記宛て先プリントを表面側にして前記画像プリントに重ねて同一注文内で１まとまりにすることを特徴とするデジタルプリント方法。
【請求項１７】
前記宛て先プリントに、前記デジタル画像データのファイル名を記録することを特徴とする請求項１５または１６記載のデジタルプリント方法。
【手続補正２】
【補正対象書類名】明細書
【補正対象項目名】０００９
【補正方法】変更
【補正の内容】
【０００９】
【課題を解決するための手段】
上記目的を達成するために、請求項１記載のデジタルプリントシステムでは、デジタル画像データと、このデジタル画像データに対応するプリント注文データとに基づきプリントを作成するデジタルプリントシステムにおいて、前記プリント注文データに基づきプリント送り先を特定し、このプリント送り先に基づき宛て先画像データを作成する宛て先画像データ作成手段と、前記デジタル画像データに基づき画像プリントを作成するとともに、前記宛て先画像データ作成手段からの宛て先画像データに基づき宛て先プリントを作成し、前記画像プリントと宛て先プリントとを同一注文内で１まとまりにする画像プリント手段とを備えている。また、前記プリントを透明窓付き封筒に収納するデジタルプリントシステムでは、前記プリントを透明窓付き封筒に挿入したときに透明窓に宛て先が位置するように宛て先プリントを作成している。
【手続補正３】
【補正対象書類名】明細書
【補正対象項目名】００１３
【補正方法】変更
【補正の内容】
【００１３】
請求項１５記載のデジタルプリント方法では、デジタル画像データに基づき作成される画像プリントと、前記プリント注文データに対応する発注者返送情報に基づき作成される宛て先プリントとを同一注文毎に１まとまりにしてプリントしている。なお、前記プリントを透明窓付き封筒に収納するデジタルプリント方法では、前記プリントを透明窓付き封筒に挿入したときに透明窓に宛て先が位置するように宛て先プリントを作成している。
【手続補正４】
【補正対象書類名】明細書
【補正対象項目名】００３８
【補正方法】変更
【補正の内容】
【００３８】
前記宛て先画像は、同一注文内の各画像のプリント後にプリントが行われる。したがって、プリント終了後は、図１に示すように、各画像プリント８０の上に宛て先プリント５０が載せられた状態で、同一注文内のプリント５０，８０が１まとまりにされる。これにより、各プリント５０，８０の照合を行う必要がなくなる。この１まとまりにされたプリント５０，８０は、各注文毎に図５に示す返送用封筒９０に入れられる。図１には、仕上がったプリント５０，８０の一例として、ジョブ１、ジョブ２のものを記載している。